(57)【要約】【課題】効率良く内容を確認することができるようにマルチメディア情報を再生することが可能なログ再生装置を提供する。【解決手段】メタ情報生成部１３は、記録部１１に記録されたマルチメディア情報を解析して、少なくとも、マルチメディア情報の特定のメディア情報の内容に関するメタ情報を生成する。制御部１４は、そのメタ情報に基づいて、少なくとも、その特定のメディア情報と異なるメディア情報の再生部１２による再生を制御する。【選択図】図１
2008129979.tif 000002
【特許請求の範囲】
【請求項１】
マルチメディアコミュニケーションシステムで用いられたマルチメディア情報を再生するログ再生装置であって、
前記マルチメディア情報を記録する記録部と、
前記マルチメディア情報を再生する再生部と、
前記マルチメディア情報を解析して、少なくとも、前記マルチメディア情報の特定のメディア情報の内容に関するメタ情報を生成する生成部と、
前記生成部が生成したメタ情報に基づいて、少なくとも、前記特定のメディア情報と異なるメディア情報の前記再生部による再生を制御する制御部と、を含むログ再生装置。
【請求項２】
請求項１に記載のログ再生装置において、
前記マルチメディア情報は、発話を示す音声情報と、画像によるスライドショーを示すスライド情報とを含み、
前記生成部は、前記画像が表示されている間に発話された発話回数を生成し、
前記制御部は、前記生成部にて生成された発話回数に応じて、前記画像の再生時間を求め、前記画像が該画像の再生時間だけ再生されるように前記再生部による再生を制御する、ログ再生装置。
【請求項３】
請求項１に記載のログ再生装置において、
前記マルチメディア情報は、発話を示す音声情報と、共有ホワイトボードに書き込まれたホワイトボード情報とを含み、
前記生成部は、前記発話中に前記共有ホワイトボードに書き込まれた書込み回数を生成し、
前記制御部は、前記生成部にて生成された書込み回数に応じて、前記発話の再生時間を求め、前記発話が該発話の再生時間だけ再生されるように前記再生部による再生を制御する、ログ再生装置。
【請求項４】
マルチメディアコミュニケーションシステムで用いられたマルチメディア情報を記録する記録部と、前記マルチメディア情報を再生する再生部と、を含むログ再生装置が行なうログ再生方法であって、
前記マルチメディア情報を解析して、少なくとも、前記マルチメディア情報の特定のメディア情報の内容に関するメタ情報を生成する生成ステップと、
前記生成されたメタ情報に基づいて、少なくとも、前記特定のメディア情報と異なるメディア情報の前記再生部による再生を制御する制御ステップと、を含むログ再生方法。
【請求項５】
請求項４に記載のログ再生方法において、
前記マルチメディア情報は、発話を示す音声情報と、画像によるスライドショーを示すスライド情報と、を含み、
前記生成ステップでは、前記画像が表示されている間に発話された発話回数を生成し、
前記制御ステップは、
前記生成された発話回数に応じて、前記画像の再生時間を求める算出ステップと、
前記画像が該画像の再生時間だけ再生されるように前記再生部による再生を制御する画像制御ステップと、を含む、ログ再生方法。
【請求項６】
請求項４に記載のログ再生方法において、
前記マルチメディア情報は、発話を示す音声情報と、共有ホワイトボードに書き込まれたホワイトボード情報とを含み、
前記生成ステップでは、前記発話中に前記共有ホワイトボードに書き込まれた書込み回数を生成し、
前記制御ステップは、
前記生成された書込み回数に応じて、前記発話の再生時間を求める計算ステップと、
前記発話が該発話の再生時間だけ再生されるように前記再生部による再生を制御する発話制御ステップと、を含む、ログ再生方法。
【発明の詳細な説明】
【技術分野】
【０００１】
本発明は、ログ再生装置およびログ再生方法に関し、特には、マルチメディアコミュニケーションシステムで用いられたマルチメディア情報を再生するログ再生装置およびログ再生方法に関する。
【背景技術】
【０００２】
従来のコミュニケーションシステムでは、単一のメディア情報が用いられていた。メディア情報は、例えば、音声情報または文字情報である。音声情報だけが用いられたコミュニケーションシステムには、例えば、電話通信、ＰＴＴ（Push to talk）およびＰｏＣ（Push to talk over Cellular）などがある。また、文字情報だけが用いられたコミュニケーションシステムには、例えば、電子メールおよびチャットなどがある。
【０００３】
近年、端末の機能向上および通信路の拡大などにより、複数のメディア情報を含むマルチメディア情報を用いたマルチメディアコミュニケーションシステムが使用されている。
【０００４】
マルチメディアコミュニケーションシステムでは、例えば、利用者が、共有ホワイトボードに情報を書き込みながら、発話を音声情報として入力することで、議論を行なうなど、特定のメディア情報が主に用いられ、かつ、他のメディア情報が参照されながらコミュニケーションが行なわれることもある。
【０００５】
また、マルチメディアコミュニケーションシステムで用いられたマルチメディア情報が記録され、利用者が、その記録されたマルチメディア情報を再生して、そのマルチメディア情報の内容を確認する場合がある。
【０００６】
この場合、そのマルチメディア情報が、コミュニケーションが行なわれた時間と同じ時間で全て再生されると、効率が悪い。
【０００７】
マルチメディア情報の内容を効率良く確認することが可能な技術は、既に提案されている。このような技術には、例えば、特許文献１（特開２００５−２６７２７９号公報）に記載の情報処理システムがある。
【０００８】
この情報処理システムは、会議で使用された音声情報および映像情報からなる会議情報と、その会議で使用された資料などの文章情報とを管理する。なお、会議では、文章情報の各ページは、スライドショーとして表示される。
【０００９】
この情報処理システムは、例えば、文章情報の各ページの中で長く表示されたページなど、利用者が記憶している可能性の高いページをサムネイルとして表示する。これにより、利用者は、会議情報を効率よく検索することが可能になり、マルチメディア情報の効率良く内容を確認することが可能になっている。
【特許文献１】特開２００５−２６７２７９号公報
【発明の開示】
【発明が解決しようとする課題】
【００１０】
記録されたマルチメディア情報を再生する場合、マルチメディア情報は、通常、早送りで再生される。以下、マルチメディア情報が含む、画像のスライドショーを示すスライド情報の再生を例に説明する。
【００１１】
スライド情報が早送りで再生される場合、そのスライドショーとして表示された画像が表示順に同じ時間で再生されたり、所定の時間間隔でそのときに表示された画像が再生されたりする。
【００１２】
画像が表示順に同じ時間で再生されると、長い時間、表示されていた画像も、短い時間、表示されていた画像も、同じ時間だけ再生されてしまう可能性がある。また、所定の時間間隔でそのときに表示された画像が再生されると、非常に短い時間だけ表示された画像が、偶然再生されてしまう可能性がある。
【００１３】
このため、利用者がマルチメディア情報の内容（例えば、議論された話題など）の理解が困難になる場合がある。
【００１４】
特許文献１に記載の情報システムは、会議情報を効率良く検索することを想定して、考案されおり、マルチメディア情報の再生に関しては、従来の技術を用いている。
【００１５】
また、単一メディアの内容を効率良くの確認することができるように単一メディアを再生する方法には、例えば、音声を再生する場合、無音区間をスキップさせる、または、早送り再生すると同時に周波数を下げて聞き取りやすくするなどの方法があるが、マルチメディア情報の内容を効率良く確認することができるようにマルチメディア情報を再生する方法は、知られていない。
【００１６】
本発明の目的は、効率良く内容を確認することができるようにマルチメディア情報を再生することが可能なログ再生装置およびログ再生方法を提供することである。
【課題を解決するための手段】
【００１７】
上記の目的を達成するために、本発明のログ再生装置は、マルチメディアコミュニケーションシステムで用いられたマルチメディア情報を再生するログ再生装置であって、前記マルチメディア情報を記録する記録部と、前記マルチメディア情報を再生する再生部と、前記マルチメディア情報を解析して、少なくとも、前記マルチメディア情報の特定のメディア情報の内容に関するメタ情報を生成する生成部と、前記生成部が生成したメタ情報に基づいて、少なくとも、前記特定のメディア情報と異なるメディア情報の前記再生部による再生を制御する制御部と、を含む。
【００１８】
また、本発明のログ再生方法は、マルチメディアコミュニケーションシステムで用いられたマルチメディア情報を記録する記録部と、前記マルチメディア情報を再生する再生部と、を含むログ再生装置が行なうログ再生方法であって、前記マルチメディア情報を解析して、少なくとも、前記マルチメディア情報の特定のメディア情報の内容に関するメタ情報を生成する生成ステップと、前記生成されたメタ情報に基づいて、少なくとも、前記特定のメディア情報と異なるメディア情報の前記再生部による再生を制御する制御ステップと、を含む。
【００１９】
上記の発明によれば、マルチメディア情報の特定のメディア情報の内容に関するメタ情報に基づいて、特定のメディア情報と異なるメディア情報が再生される。
【００２０】
このため、効率良く内容を確認できるようにマルチメディア情報を再生することが可能になる。
【００２１】
また、前記マルチメディア情報は、発話を示す音声情報と、画像によるスライドショーを示すスライド情報とを含み、前記生成部は、前記画像が表示されている間に発話された発話回数を生成し、前記制御部は、前記生成部にて生成された発話回数に応じて、前記画像の再生時間を求め、前記画像が該画像の再生時間だけ再生されるように前記再生部による再生を制御することが望ましい。
【００２２】
上記の発明によれば、画像が、その画像が表示されている間に発話された発話回数に応じた再生時間だけ再生される。画像が表示されている間に発話された発話回数が多いほど、その画像が重要である可能性が高い。したがって、画像が表示されている間に発話された発話回数は、画像の重要度に依存する。
【００２３】
このため、重要度の高い画像を長く再生するなど、画像の重要度に応じて、画像の再生時間を変えることが可能になり、効率良く内容を確認することが可能になる。
【００２４】
また、前記マルチメディア情報は、発話を示す音声情報と、共有ホワイトボードに書き込まれたホワイトボード情報とを含み、前記生成部は、前記発話中に前記共有ホワイトボードに書き込まれた書込み回数を生成し、前記制御部は、前記生成部にて生成された書込み回数に応じて、前記発話の再生時間を求め、前記発話が該発話の再生時間だけ再生されるように前記再生部による再生を制御することが望ましい。
【００２５】
上記の発明によれば、発話が、その発話中に共有ホワイトボードに書き込まれた書込み回数に応じた再生時間だけ再生される。発話中に共有ホワイトボードに書き込まれた書込み回数が多いほど、その発話が重要である可能性が高い。したがって、発話中に共有ホワイトボードに書き込まれた書込み回数は、発話の重要度に依存する。
【００２６】
このため、重要度の高い発話を長く再生するなど、発話の重要度に応じて、発話の再生時間を変えることが可能になり、効率良く内容を確認することが可能になる。
【発明の効果】
【００２７】
本発明によれば、効率良く内容を確認することができるようにマルチメディア情報を再生することが可能になる。
【発明を実施するための最良の形態】
【００２８】
以下、本発明の実施例について図面を参照して説明する。
【００２９】
図１は、本発明の一実施例のログ再生装置の構成を示したブロック図である。
【００３０】
図１において、ログ再生装置は、ログデータベース記録部１１と、再生部１２と、メタ情報生成部１３と、制御部１４とを含む。
【００３１】
ログデータベース記録部（以下、記録部と称する）１１は、マルチメディアコミュニケーションシステムで用いられたマルチメディア情報を記録する。マルチメディア情報は、複数のメディア情報を含む。メディア情報は、例えば、音声情報、画像情報および文字情報などである。
【００３２】
図２は、マルチメディア情報の一例を示した信号図である。このマルチメディア情報は、発話を示す音声情報と、画像によるスライドショーを示すスライド情報を含む。なお、図２では、画像を写真として説明しているが、画像は、写真に限らず適宜変更可能である。
【００３３】
このマルチメディア情報は、以下のようなコミュニケーションのログである。なお、発話では、ＰｏＣが用いられ、写真の表示には、画像共有システムが用いられるとする。
【００３４】
先ず、話者１の発話が開始され、その発話中に写真１が表示される。話者１の発話が終了すると、話者２の発話が開始されると共に、写真２が表示される。話者２の発話が終了すると、話者１の発話が再び開始される。話者１の発話が終了されると、話者３の発話が開始され、その発話中に写真３が表示され、その後、話者３の発話が終了される。
【００３５】
図１に戻る。再生部１２は、記録部１１が記録したマルチメディア情報を再生する。なお、再生部１２の動作は、制御部１４にて制御される。
【００３６】
メタ情報生成部１３は、生成部の一例である。メタ情報生成部１３は、記録部１１が記録したマルチメディア情報を解析して、少なくとも、マルチメディア情報の特定のメディア情報の内容に関するメタ情報を生成する。
【００３７】
制御部１４は、メタ情報生成部１３が生成したメタ情報に基づいて、少なくとも、特定のメディア情報と異なるメディア情報の再生部１２による再生を制御する。
【００３８】
制御部１４は、具体的には、メタ情報評価部１５と、再生制御部１６とを含む。
【００３９】
メタ情報評価部１５は、メタ情報生成部１３が生成したメタ情報に基づいて、少なくとも、その再生される、特定のメディア情報と異なるメディア情報を評価する。
【００４０】
再生制御部１６は、メタ情報評価部１５の評価結果に応じて、再生部１２による再生を制御する。
【００４１】
本実施例によれば、メタ情報生成部１３は、記録部１１に記録されたマルチメディア情報を解析して、少なくとも、マルチメディア情報の特定のメディア情報の内容に関するメタ情報を生成する。制御部１４は、そのメタ情報に基づいて、少なくとも、その特定のメディア情報と異なるメディア情報の再生部１２による再生を制御する。
【００４２】
この場合、マルチメディア情報の特定のメディア情報の内容に関するメタ情報に基づいて、特定のメディア情報と異なるメディア情報が再生される。このため、効率良く内容を確認できるようにマルチメディア情報を再生することが可能になる。
【００４３】
図３は、マルチメディア情報の再生方法の一例を説明するための信号図である。
【００４４】
なお、記録部１１が記録したマルチメディア情報は、図２で示したマルチメディア情報と同じである。
【００４５】
メタ情報生成部１３は、記録部１１が記録したマルチメディア情報（音声情報およびスライド情報）を解析して、写真が表示されているときに発話された発話回数を写真ごとに、メタ情報として生成する。
【００４６】
この発話回数の生成は、以下のように行なう。なお、ＰｏＣでは、話者を交換するために、発話の終了を示す終了情報が、発話の終端に付されている。また、音声情報およびスライド情報には、時刻情報が含まれているとする。
【００４７】
メタ情報生成部１３は、写真の表示時間内に含まれる終了情報の数を計数する。また、メタ情報生成部１３は、写真の表示終了時刻に発話がなされているか否かを確認する。写真の表示終了時刻に発話がなされていると、メタ情報生成部１３は、その終了情報の数に１を加えた数を、その写真が表示されているときに発話された発話回数とする。一方、メタ情報生成部１３は、写真の表示終了時刻に発話がなされていないと、その終了情報の数を、その写真が表示されているときに発話された発話回数とする。
【００４８】
メタ情報生成部１３は、以上の処理を写真ごとに行い、写真が表示されているときに発話された発話回数を写真ごとに生成する。
【００４９】
図３の場合、メタ情報生成部１３は、写真１の発話回数を１と生成し、写真２の発話回数を３と生成し、写真３の発話回数を１と生成する。
【００５０】
なお、各写真の発話回数は、各写真が表示されているときに発話した発話者の延べ人数と同じである。
【００５１】
制御部１４は、メタ情報生成部１３が生成した発話回数に応じて、写真の再生時間を写真ごとに求める。また、制御部１４は、各写真がその写真の再生時間だけ再生されるように再生部１２による再生を制御する。
【００５２】
具体的には、まず、メタ情報評価部１５は、メタ情報生成部１３が生成した各写真の発話回数に応じて、写真の重要度を写真ごとに評価する。例えば、メタ情報評価部１５は、各写真の発話回数を、各写真の重要度として評価する。この場合、メタ情報評価部１５は、写真１の重要度を１と評価し、写真２の重要度を３と評価し、写真３の重要度を１と評価する。
【００５３】
続いて、再生制御部１６は、メタ情報評価部１５が評価した各写真の重要度に応じて、写真の再生時間を写真ごとに求める。例えば、再生制御部１６は、各写真の再生時間を、写真の重要度に所定の単位時間を乗算した値として求める。この場合、再生制御部１６は、写真１の再生時間を１単位時間と求め、写真２の再生時間を３単位時間と求め、写真３の再生時間を１単位時間と求める。
【００５４】
さらに、再生制御部１６は、各写真がその写真の再生時間だけ再生されるように再生部１２による再生を制御する。このとき、再生制御部１６は、各写真が、その写真の再生時間だけ連続して再生されるように再生部１２による再生を制御することが望ましい。
【００５５】
次に、図２で示したマルチメディア情報と異なるマルチメディア情報を用いて、マルチメディア情報の再生方法を説明する。
【００５６】
図４は、図２で示したマルチメディア情報と異なるマルチメディア情報の再生方法の一例を説明するための信号図である。なお、以下では、主に図２および図３で説明した処理と異なる処理について説明する。
【００５７】
このマルチメディア情報は、以下のようなコミュニケーションのログである。
【００５８】
先ず、話者１の発話が開始され、その発話中に写真１が表示される。話者１の発話が終了すると、話者２の発話が開始され、その発話中に写真２が表示され、その後、その発話中に写真１が表示される。話者２の発話が終了すると、話者１の発話が再び開始される。その話者１の発話中に写真２が表示され、その後、その発話中に写真１が表示される。話者１の発話が終了すると、話者３の発話が開始される。話者１の発話が終了されると、話者３の発話が開始され、その発話中に写真３が表示され、その後、話者３の発話が終了される。
【００５９】
このコミュニケーションでは、写真１は、３回表示され、各表示期間中に２回ずつ発話が行われている。写真２は、２回表示され、各表示期間中に１回ずつ発話が行われている。写真３は、１回表示され、その表示期間中に１回だけ発話が行われている。
【００６０】
メタ情報生成部１３は、写真１の発話回数を６と生成し、写真２の発話回数を２と生成し、写真３の発話回数を１と生成する。
【００６１】
メタ情報評価部１５は、各写真の発話回数を、各写真の重要度として評価するものとする。この場合、メタ情報評価部１５は、写真１の重要度を６と評価し、写真２の重要度を２と評価し、写真３の重要度を１と評価する。
【００６２】
再生制御部１６は、各写真の再生時間を、各写真の重要度に所定の単位時間を乗算した値として求めるものとする。この場合、再生制御部１６は、写真１の再生時間を６単位時間と求め、写真２の再生時間を２単位時間と求め、写真３の再生時間を１単位時間と求める。
【００６３】
再生制御部１６は、その求めた各写真の再生時間だけ各写真が再生されるように再生部１２による再生を制御する。
【００６４】
次に、図４で示したマルチメディア情報の再生方法の他の例について説明する。
【００６５】
図５は、マルチメディア情報の再生方法の他の例を説明するための信号図である。なお、以下では、主に図４で説明した処理と異なる処理について主に説明する。
【００６６】
図５において、記録部１１が記録したマルチメディア情報は、図４で示したマルチメディア情報と同じである。また、メタ情報生成部１３およびメタ情報評価部１５が行なう処理は、図４を用いて説明した処理と同じである。
【００６７】
再生制御部１６は、各写真の再生時間を求めると、その最も大きい再生時間の写真（写真１）と、最後に表示された写真（写真３）とが、各写真の再生時間だけ再生されるように再生部１２による再生を制御する。
【００６８】
なお、図３ないし図５で説明した再生方法では、音声情報が、マルチメディア情報の特定のメディア情報であり、スライド情報が、再生される、特定のメディア情報と異なるメディア情報となる。
【００６９】
次に動作を説明する。
【００７０】
メタ情報生成部１３は、記録部１１に記録されたマルチメディア情報を解析して、写真が表示されているときに発話された発話回数を写真ごとに、メタ情報として生成する。メタ情報生成部１３は、その発話回数をその写真を特定する識別情報ごとに対応付けた回数情報を生成する。
【００７１】
このとき、記録部１１に記録されたマルチメディア情報（スライド情報）の各写真に識別情報が付されていれば、メタ情報生成部１３は、その識別情報をその回数情報に用いる。また、そのマルチメディア情報の各写真に識別情報が付されていなければ、メタ情報生成部１３は、写真ごとに識別情報を生成し、その生成した識別情報をその回数情報に用いる。なお、メタ情報生成部１３は、識別情報を生成すると、その識別情報を、記録部１１に記録されたマルチメディア情報の各写真に付す。
【００７２】
なお、その最も大きい再生時間の写真と、最後に表示された写真とが再生される場合、メタ情報生成部１３は、最後に表示された写真を特定する識別情報に、その写真が最後に表示されたことを示す最後情報を付ける。
【００７３】
メタ情報生成部１３は、その回数情報を生成すると、その回数情報をメタ情報評価部１５に出力する。
【００７４】
メタ情報評価部１５は、その回数情報を受け付けると、その回数情報が含む識別情報にて特定される写真の重要度を、その識別情報と対応付けられた発話回数に応じて評価する。このとき、メタ情報評価部１５は、全ての写真に対して重要度を評価する。
【００７５】
メタ情報評価部１５は、その評価した写真の重要度を、その写真を特定する識別情報ごとに対応付けた重要度情報を生成する。メタ情報評価部１５は、その重要度情報を再生制御部１６に出力する。
【００７６】
再生制御部１６は、その重要度情報を受け付けると、その重要度情報が含む識別情報にて特定される写真の再生時間を、その識別情報と対応付けられた重要度に応じて求める。このとき、再生制御部１６は、全ての写真に対して再生時間を求める。
【００７７】
全ての写真を再生する場合、再生制御部１６は、写真の再生時間を識別情報ごとに対応付けた制御信号を再生部１２に出力する。
【００７８】
また、その最も大きい再生時間の写真と、最後に表示された写真とが再生される場合、再生制御部１６は、最後情報が付けられた識別情報と、その識別情報が特定する写真の再生時間とを対応付け、かつ、最も大きい再生時間の写真を特定する識別情報と、その写真の再生時間とを対応付けた制御信号を再生部１２に出力する。
【００７９】
再生部１２は、その制御信号を受け付けると、記録部１１からスライド情報を取得する。再生部１２は、そのスライド情報が含む写真に付された識別情報を、その識別情報と対応付けられた再生時間だけ再生する。
【００８０】
本実施例では、メタ情報生成部１３は、画像が表示されている間に発話された発話回数を生成する。制御部１４は、その発話回数に応じて、画像の再生時間を求める。制御部１４は、画像がその画像の再生時間だけ再生されるように再生部１２による再生を制御する。
【００８１】
この場合、画像が、その画像が表示されている間に発話された発話回数に応じた再生時間だけ再生される。画像が表示されている間に発話された発話回数が多いほど、その画像が重要である可能性が高い。したがって、画像が表示されている間に発話された発話回数は、画像の重要度に依存する。
【００８２】
このため、重要度の高い画像を長く再生するなど、画像の重要度に応じて、画像の再生時間を変えることが可能になり、効率良く内容を確認することが可能になる。
【００８３】
次に、マルチメディア情報の再生方法の他の例を説明する。なお、以下では、主に図２ないし図５で説明した処理と異なる処理について説明する。
【００８４】
図６は、マルチメディア情報の再生方法の他の例を説明するための信号図である。
【００８５】
記録部１１に記録されたマルチメディア情報は、発話を示す音声情報と、共有ホワイトボードに書き込まれたホワイトボード情報とを含む。
【００８６】
このマルチメディア情報は、以下のようなコミュニケーションのログである。
【００８７】
先ず、発話１が開始され、その発話中に共有ホワイトボードに１回だけ書き込まれる。発話１が終了すると、発話２が開始され、その発話中に共有ホワイトボードに３回だけ書き込まれる。発話２が終了すると、発話３が開始される。その後、共有ホワイトボードに書き込みが行なわれずに発話３が終了される。発話３が終了すると、発話４が開始され、その発話中に共有ホワイトボードに１回だけ書き込まれる。その後、発話４が終了する。
【００８８】
メタ情報生成部１３は、記録部１１が記録したマルチメディア情報（音声情報およびホワイトボード情報）を解析して、発話中に共有ホワイトボードに書き込まれた書込み回数を発話ごとに、メタ情報として生成する。具体的には、メタ情報生成部１３は、発話１の書込み回数を１と生成し、発話２の書込み回数を３と生成し、発話３の書込み回数を０と生成し、発話４の書込み回数を１と生成する。
【００８９】
制御部１４は、その生成された書込み回数に応じて、発話の再生時間を発話ごとに求め、各発話がその発話の再生時間だけ再生されるように再生部１２による再生を制御する。
【００９０】
具体的には、以下の処理が行なわれる。
【００９１】
メタ情報評価部１５は、メタ情報生成部１３が生成した各発話の書込み回数に応じて、発話の重要度を発話ごとに評価する。例えば、メタ情報評価部１５は、各発話の書込み回数を、各写真の重要度として評価する。この場合、メタ情報評価部１５は、発話１の重要度を１と評価し、発話２の重要度を３と評価し、発話３の重要度を０と評価し、発話４の重要度を１と評価する。
【００９２】
再生制御部１６は、メタ情報評価部１５が評価した各発話の重要度に応じて、発話の再生時間を発話ごとに求める。例えば、再生制御部１６は、各発話の再生時間を、発話の重要度に所定の単位時間を乗算した値として求める。この場合、再生制御部１６は、発話１の再生時間を１単位時間と求め、発話２の再生時間を３単位時間と求め、発話３の再生時間を０と求め、発話４の再生時間を１単位時間と求める。
【００９３】
再生制御部１６は、各発話がその各発話の再生時間だけ再生されるように再生部１２による再生を制御する。
【００９４】
なお、図６で説明した再生方法では、ホワイトボード情報が、マルチメディア情報の特定のメディア情報であり、音声情報が、再生される、特定のメディア情報と異なるメディア情報となる。
【００９５】
次に動作を説明する。
【００９６】
メタ情報生成部１３は、記録部１１に記録されたマルチメディア情報を解析して、発話中に共有ホワイトボードに書き込まれた書込み回数を発話ごとに、メタ情報として生成する。メタ情報生成部１３は、書込み回数をその発話を特定する特定情報ごとに対応付けた書込み回数情報を生成する。
【００９７】
このとき、記録部１１に記録されたマルチメディア情報（音声情報）の各発話に特定情報が付されていれば、メタ情報生成部１３は、その特定情報を書き込み回数情報に用いる。また、そのマルチメディア情報の各発話に特定情報が付されていなければ、メタ情報生成部１３は、発話ごとに特定情報を生成し、その生成した特定情報を書き込み回数情報に用いる。なお、メタ情報生成部１３は、特定情報を生成すると、その特定情報を、記録部１１に記録されたマルチメディア情報の各発話に付す。
【００９８】
メタ情報生成部１３は、その書込み回数情報を生成すると、その書込み回数情報をメタ情報評価部１５に出力する。
【００９９】
メタ情報評価部１５は、その書込み回数情報を受け付けると、その書込み回数情報が含む特定情報にて特定される発話の重要度を、その特定情報と対応付けられた書込み回数に応じて評価する。このとき、メタ情報評価部１５は、全ての発話に対して重要度を評価する。
【０１００】
メタ情報評価部１５は、その評価した発話の重要度を、その発話を特定する特定情報ごとに対応付けた発話重要度情報を生成する。メタ情報評価部１５は、その発話重要度情報を再生制御部１６に出力する。
【０１０１】
再生制御部１６は、その発話重要度情報を受け付けると、その発話重要度情報が含む特定情報にて特定される発話の再生時間を、その特定情報と対応付けられた重要度に応じて求める。このとき、再生制御部１６は、全ての発話に対して再生時間を求める。
【０１０２】
再生制御部１６は、発話の再生時間を特定情報ごとに対応付けた制御信号を再生部１２に出力する。
【０１０３】
再生部１２は、その制御信号を受け付けると、記録部１１から音声情報を取得する。再生部１２は、その音声情報が含む発話に付された特定情報を、その特定情報と対応付けられた再生時間だけ再生する。
【０１０４】
本実施例では、メタ情報生成部１３は、発話中に共有ホワイトボードに書き込まれた書込み回数を生成する。制御部１４は、その書込み回数に応じて、発話の再生時間を求める。制御部１４は、発話がその発話の再生時間だけ再生されるように再生部１２による再生を制御する。
【０１０５】
この場合、発話が、その発話中に共有ホワイトボードに書き込まれた書込み回数に応じた再生時間だけ再生される。発話中に共有ホワイトボードに書き込まれた書込み回数が多いほど、その発話が重要である可能性が高い。したがって、発話中に共有ホワイトボードに書き込まれた書込み回数は、発話の重要度に依存する。
【０１０６】
このため、重要度の高い発話を長く再生するなど、発話の重要度に応じて、発話の再生時間を変えることが可能になり、効率良く内容を確認することが可能になる。
【０１０７】
次に、再生方法の参考例について説明する。
【０１０８】
図７は、本発明のログ再生装置の参考例を説明するための信号図である。なお、図７で示したマルチメディア情報は、図４で示したマルチメディア情報と同じである。
【０１０９】
メタ情報生成部１３は、マルチメディア情報のスライド情報を解析して、写真の表示回数を写真ごとにメタ情報として生成する。具体的には、メタ情報生成部１３は、写真１の表示回数を３と生成し、写真２の表示回数を２と生成し、写真３の表示回数を１と生成する。
【０１１０】
メタ情報評価部１５は、メタ情報生成部１３が生成した各写真の表示回数に応じて、写真の重要度を写真ごとに評価する。例えば、メタ情報評価部１５は、各写真の表示回数を各写真の重要度として求める。この場合、メタ情報評価部１５は、写真１の重要度を３と評価し、写真２の重要度を２と評価し、写真３の重要度を１と評価する。
【０１１１】
再生制御部１６は、メタ情報評価部１５が評価した各写真の重要度に応じて、写真の再生時間を写真ごとに求める。例えば、再生制御部１６は、各写真の再生時間を、写真の重要度に所定の単位時間を乗算した値として求める。この場合、再生制御部１６は、写真１の再生時間を３単位時間と求め、写真２の再生時間を２単位時間と求め、写真３の再生時間を１単位時間と求める。
【０１１２】
再生制御部１６は、各写真がその各写真の再生時間だけ再生されるように再生部１２による再生を制御する。
【０１１３】
なお、本発明の適用例として、マルチメディアコミュニケーションによるシステムインテグレイトまたサービスなどを提供するプロバイダの端末またはシステム、および、マルチメディアコミュニケーションをビジネスユースに適用した端末またはシステムが挙げられる。
【０１１４】
以上説明した実施例において、図示した構成は単なる一例であって、本発明はその構成に限定されるものではない。
【０１１５】
例えば、２つのメディア情報を含むマルチメディア情報を例に説明したが、マルチメディア情報は、３以上のメディア情報を含んでもよい。
【０１１６】
また、メタ情報として１種類の情報（発話回数また書込み回数）を用いて説明したが、メタ情報は、複数の種類の情報を含んでもよい。このとき、制御部１４は、その複数の種類の情報に基づいて、特定のメディア情報と異なるメディア情報の再生部１２による再生を制御する。
【０１１７】
さらに、一つのメディア情報が再生されていたが、複数のメディア情報が再生されてもよい。
【図面の簡単な説明】
【０１１８】
【図１】本発明の一実施例のログ再生装置の構成を示したブロック図である。
【図２】マルチメディア情報の一例を示した信号図である。
【図３】マルチメディア情報の再生方法の一例を説明するための信号図である。
【図４】マルチメディア情報の再生方法の他の例を説明するための信号図である。
【図５】マルチメディア情報の再生方法の他の例を説明するための信号図である。
【図６】マルチメディア情報の再生方法の他の例を説明するための信号図である。
【図７】マルチメディア情報の再生方法の参考例を説明するための信号図である。
【符号の説明】
【０１１９】
１１      ログデータベース記録部
１２        再生部
１３        メタ情報生成部
１４        制御部
１５        メタ情報評価部
１６        再生制御部
【図１】
2008129979.tif 000003
【図２】
2008129979.tif 000004
【図３】
2008129979.tif 000005
【図４】
2008129979.tif 000006
【図５】
2008129979.tif 000007
【図６】
2008129979.tif 000008
【図７】
2008129979.tif 000009